(57)【要約】【課題】簡単な構成で、眼底を任意の倍率に変倍して立体的に観察できる眼底画像処理方法及び装置を提供する。【解決手段】同一の被検眼の眼底に対して視差をつけた左視差画像８２と右視差画像８３が撮影、記録され、２つの画像のうち少なくとも一つの画像が表示される。この表示された画像から設定された範囲内にある画像８２ｂが切り出され、他方の画像８３から、前記切り出された画像の範囲に対応する範囲内の画像８３ｂが切り出され、これら切り出された２つの画像の拡大画像８２ｃ、８３ｃを、ステレオモニタ６３に左右に並べて表示する。このような構成では、一方の画像で高倍表示する範囲を指定すれば、他方の画像でも切り出しおよび高倍変換処理が行なわれ、眼底ステレオ画像での高倍での立体観察を容易に行うことができる。【選択図】図６
2007151983.tif 000002
【特許請求の範囲】
【請求項１】
同一の被検眼の眼底に対して左右に視差をつけて撮影、記録され２つの画像のうち少なくとも一つの画像を表示し、
該表示された画像から設定された範囲内にある画像を切り出し、
前記記録された他方の画像から、前記切り出された画像の範囲に対応する範囲内の画像を切り出し、
前記切り出された２つの画像を所定の倍率に変換して、左右に並べて表示することを特徴とする眼底画像処理方法。
【請求項２】
同一の被検眼の眼底に対して左右に視差をつけて撮影、記録され２つの画像のうち少なくとも一つの画像を表示し、
該表示された画像から、所定のしきい値を越えた輝度を持つ部分を抽出し、
前記抽出された画像部分に基づいて画像切り出し範囲を定め、
前記記録された一方の画像から、前記定められた範囲内にある画像を切り出し、
前記記録された他方の画像から、前記切り出された画像の範囲に対応する範囲内の画像を切り出し、
前記切り出された２つの画像を所定の倍率に変換して、左右に並べて表示することを特徴とする眼底画像処理方法。
【請求項３】
前記抽出された画像部分の重心を求め、該重心の座標から画像を切り出す基準位置を決め、該基準位置を中心に所定の大きさ範囲を定め、それを切り出し範囲とすることを特徴とする請求項２に記載の眼底画像処理方法。
【請求項４】
前記切り出された２つの画像を、画像間に所定幅の隙間を設けて表示することを特徴とする請求項１から３のいずれか１項に記載の眼底画像処理方法。
【請求項５】
前記切り出された画像の寸法を示すスケールを表示することを特徴とする請求項１から３のいずれか１項に記載の眼底画像処理方法。
【請求項６】
同一の被検眼の眼底に対して左右に視差をつけて撮影、記録され２つの画像のうち少なくとも一つの画像を表示する表示手段と、
該表示された画像から設定された範囲内にある画像を切り出すとともに、前記記録された他方の画像から、前記切り出された画像の範囲に対応する範囲内の画像を切り出す切り出し手段とを有し、
前記切り出された２つの画像を所定の倍率に変換して、左右に並べて表示することを特徴とする眼底画像処理装置。
【請求項７】
同一の被検眼の眼底に対して左右に視差をつけて撮影、記録され２つの画像のうち少なくとも一つの画像を表示する表示手段と、
該表示された画像から、所定のしきい値を越えた輝度を持つ部分を抽出する抽出手段と、
前記抽出された画像部分に基づいて画像切り出し範囲を定め、前記記録された一方の画像から該定められた範囲内にある画像を切り出すとともに、前記記録された他方の画像から、前記切り出された画像の範囲に対応する範囲内の画像を切り出す切り出し手段とを有し、
前記切り出された２つの画像を所定の倍率に変換して、左右に並べて表示することを特徴とする眼底画像処理装置。
【請求項８】
前記抽出された画像部分の重心を求め、該重心の座標から画像を切り出す基準位置を決め、該基準位置を中心に所定の大きさ範囲を定め、それを切り出し範囲とすることを特徴とする請求項７に記載の眼底画像処理装置。
【請求項９】
前記切り出された２つの画像を、画像間に所定幅の隙間を設けて表示することを特徴とする請求項６から８のいずれか１項に記載の眼底画像処理装置。
【請求項１０】
前記切り出された画像の寸法を示すスケールを表示することを特徴とする請求項６から９のいずれか１項に記載の眼底画像処理装置。
【発明の詳細な説明】
【技術分野】
【０００１】
本発明は、眼底画像処理方法及び装置、更に詳細には、眼底を拡大して立体的に観察できるように眼底画像を表示させる眼底画像処理方法及び装置に関する。
【背景技術】
【０００２】
従来から、眼底診断のために眼底の立体形状を把握することが求められており、左右視差を設けた２孔撮影絞りのある眼底カメラを用いて、各々撮影絞りで眼底を撮影した後、撮影画像を横に並べてモニタ表示し、ステレオスコープを使って観察することにより眼底の乳頭陥凹などを立体視する方法が提案されている。
【０００３】
その場合、立体視用の２つの眼底画像の相対位置を合わせてモニタに表示することが行われており（特許文献１）、また、撮影した左右眼などの撮影条件情報を撮影画像と関連させて記録保存することも行われている（特許文献２）。
【０００４】
また、眼底を電子画像としてメモリに格納し、操作者により設定された変倍率に従いメモリに格納された眼底像を、拡大あるいは縮小し、モニタに可視像として表示し、変倍された眼底像を観察することが行われている（特許文献３）。
【特許文献１】特許２８４４４５８号公報
【特許文献２】特開２００２−１７６８１号公報
【特許文献３】特開平１１−２８１８９号公報
【発明の開示】
【発明が解決しようとする課題】
【０００５】
しかしながら、眼底カメラで撮影した画像は画角が広い（４５度か２０度）ので、視神経乳頭の陥凹が十分に見えないという問題がある。こういう要求を満たすには、画角が１０度ぐらいで撮影された画像が好ましく、そのために画角１０度の高倍撮影レンズを眼底カメラに新たに併設することが考えられる。この高倍撮影レンズを新たに付加して併設する方法は理論的には可能であるが、装置のコストが高くなることや、所望の撮影部位の撮影には患者の固視をうまく誘導しなければならないので、撮影操作に熟練が必要とされるという問題があり、また高倍の撮影のため、撮影時の眼底に照射する光量が多くなってしまう点などの問題点があり現実的ではない。
【０００６】
そこで、これらの問題点を解決するためには、特許文献３に記載されているように、眼底撮影を電子画像で行い、光学的ではなく画像処理で画像の倍率を上げる、いわゆるデジタル変倍を行なえばよいことになる。しかしながら、眼底ステレオ画像を撮影後に倍率を変える操作を行なうには、眼底ステレオ画像が、左右２枚で一組なので、それぞれに対して倍率を変える操作を行なわなければならず、またモニタの大きさは決まっているので、拡大する中心を左右の画像で同じ場所に設定して表示しなければ立体視が行なえなくなるという問題がある。
【０００７】
本発明は、このような点に鑑みてなされたもので、簡単な構成で、眼底を任意の倍率に変倍して立体的に観察できる眼底画像処理方法及び装置を提供することを課題とする。
【課題を解決するための手段】
【０００８】
この課題を解決する本発明は、
同一の被検眼の眼底に対して左右に視差をつけて撮影、記録され２つの画像のうち少なくとも一つの画像を表示すること、
該表示された画像から設定された範囲内にある画像を切り出すこと、
前記記録された他方の画像から、前記切り出された画像の範囲に対応する範囲内の画像を切り出すこと、並びに
前記切り出された２つの画像を所定の倍率に変換して、左右に並べて表示することを特徴とする。
【０００９】
また、本発明は、
同一の被検眼の眼底に対して左右に視差をつけて撮影、記録され２つの画像のうち少なくとも一つの画像を表示すること、
該表示された画像から、所定のしきい値を越えた輝度を持つ部分を抽出すること、
前記抽出された画像部分に基づいて画像切り出し範囲を定めること、
前記記録された一方の画像から、前記定められた範囲内にある画像を切り出すこと、
前記記録された他方の画像から、前記切り出された画像の範囲に対応する範囲内の画像を切り出すこと、並びに
前記切り出された２つの画像を所定の倍率に変換して、左右に並べて表示することを特徴とする。
【発明の効果】
【００１０】
本発明では、ステレオ画像の片方の画像で高倍表示する範囲を指定すれば、指定した画像のみならず、もう片方の画像でも切り出しおよび高倍変換処理が行なわれ、高倍変換処理された２枚の画像が自動的に並べられ１枚の画像として表示されるので、眼底ステレオ画像での高倍での立体観察を容易に行うことができる。
【発明を実施するための最良の形態】
【００１１】
以下、図面に示す実施の形態に基づいて本発明を詳細に説明する。
【実施例】
【００１２】
図１には、被検眼眼底を撮影する眼底カメラ１０、撮影された眼底画像を記録する記録装置（記録手段）６１、６４、撮影、記録された眼底画像を画像処理する画像処理部６０、眼底画像を表示するモニタ６２、ステレオモニタ６３などが図示されている。一点鎖線で囲まれて図示された眼底カメラ１０には、赤外光並びに可視光の照明光を発光する観察ランプ１１が球面ミラー１２の曲率中心に配置され、観察ランプ１１並びに球面ミラー１２からの光は、光路に挿脱可能な可視光カット赤外光透過フィルタ１３、コンデンサーレンズ１４、ストロボ１５、コンデンサーレンズ１６を経て、全反射ミラー１７に入射する。
【００１３】
全反射ミラー１７で反射した照明光は、移動遮光板１９と固定絞り２０からなる照明絞りとしてのリングスリット２１を経てリレーレンズ２２を通過し、穴あき全反射ミラー２３で反射され、対物レンズ２４を経て被検眼Ｅの前眼部（瞳）Ｅｐに入射する。リングスリット２１は、照明光学系内に被検眼の前眼部Ｅｐ（瞳）とほぼ共役な位置に配置され、遮光板１９の位置に応じた種々の照明光パターンが得られるようになる。
【００１４】
なお、照明光学系の光路には、蛍光撮影時エキサイタフィルタ１８が挿脱される。
【００１５】
また、前眼部でアライメントを行うときのために、前眼部Ｅｐを赤外光で照明する赤外ＬＥＤ（発光ダイオード）からなる光源２７と、前眼部を撮影するために、前眼部を微弱白色光で照明するＬＥＤからなる光源２８が配置される。
【００１６】
リングスリット２１を通過した照明光で照明された眼底Ｅｒからの反射光は、対物レンズ２４、穴あき全反射ミラー２３、固定絞り３１、移動絞りユニット３２、合焦レンズ３５、結像レンズ３６、ハーフミラー３７、変倍レンズ３８ａを通過してリターンミラー３９に入射する。リターンミラー３９が図示の位置では、眼底からの反射光が赤外光に感度を有する眼底と共役な位置にあるＣＣＤ（撮像手段）４０に入射し、眼底がＣＣＤ４０により撮像され、またリターンミラー３９が光路から離脱すると、眼底からの反射光が可視光に感度を有する眼底と共役なＣＣＤ（撮像手段）４１に入射し、眼底がＣＣＤ４１により撮影される。
【００１７】
穴あき全反射ミラー２３は、図２（Ｃ）に示すように、横長楕円形状の開口２３ａを中心部に設けた円形の全反射ミラーであり、固定絞り３１は、図２（Ｂ）に示すように、中心部に単眼撮影用撮影絞り３１ａと、その両側にフォーカス指標投影用並びにステレオ撮影用の撮影絞り（２孔絞り）３１ｂ、３１ｃを設けた絞りである。各撮影絞り３１ａ、３１ｂ、３１ｃは、光量確保の点並びに収差を少なくする上で、図示したように、縦長の四角形状に形成される。
【００１８】
固定絞り３１は、穴あき全反射ミラー２３とほぼ同じ大きさの円形形状であり、穴あき全反射ミラー２３と中心を合わせて穴あき全反射ミラー２３に密着させて固定される。各撮影絞り３１ａ、３１ｂ、３１ｃは、被検眼前眼部（瞳）とほぼ共役な位置に配置される。その場合、撮影絞り３１ａは、その中心が対物レンズ２４の光軸（撮影光学系の光軸）２６と一致する位置に配置され、撮影絞り３１ｂは、立体視用の左右の画像を得るために撮影光路を瞳共役位置で左右に分割したときの左側光路位置に、また撮影絞り３１ｃは、その右側光路位置にそれぞれ配置される。穴あき全反射ミラー２３の開口２３ａの大きさは、穴あき全反射ミラー２３と固定絞り３１の中心を合わせた状態では、撮影絞り３１ａ、３１ｂ、３１ｃの開口をその開口２３ａ内に包含できる大きさとなっている。
【００１９】
また、移動絞りユニット３２は、図２（Ａ）に示すように、単眼撮影時の撮影光用切り欠け部３２ａと、ステレオ撮影時の左側光路用の切り欠け部３２ｂと、ステレオ撮影時の右側光路用の切り欠け部３２ｃを有し、切り欠け部３２ａの両側には、フォーカス指標を眼底に向けて反射させる反射プリズム３２ｄ、３２ｅが設けられる。
【００２０】
移動絞りユニット３２は、後述するように、制御部６５により撮影モードに応じて固定絞り３１上を上下方向に移動される。移動絞りユニット３２が、図３（Ａ）に示した位置に移動すると、切り欠け部３２ａが撮影絞り３１ａの開口を開放し、撮影絞り３１ａが選択される。また、図３（Ｂ）、図３（Ｃ）に示した位置に移動すると、切り欠け部３２ｂ、３２ｃが撮影絞り３１ｂ、３１ｂの開口をそれぞれ開放し、撮影絞り３１ｂあるいは３１ｃが選択される。このように、制御部６５は、移動絞りユニット３２を順次移動させることにより、撮影絞りを切り替え、撮影絞り３１ａ、撮影絞り３１ｂ、撮影絞り３１ｃのいずれか１つを選択する。例えば、単眼撮影のように、１枚の画像を取得する場合には、撮影絞り３１ａが選択され、また、ステレオ撮影のように、左右２枚の画像を取得する場合には、撮影絞り３１ｂと３１ｃが選択され、３枚連続撮影の場合には、撮影絞り３１ａ、３１ｂ、３１ｃが選択される。
【００２１】
また、移動絞りユニット３２が図３（Ａ）、（Ｂ）、（Ｃ）の位置に移動すると、制御部６５は、それと連動してリングスリット２１の移動遮光板１９を移動させ、各撮影に応じた照明パターンを生成する。
【００２２】
図１において、対物レンズ２４と穴あき全反射ミラー２３間の光路には、前眼部レンズ３０が挿脱可能に配置され、前眼部レンズ３０が該光路に挿入されると、照明用光源２７で照明された前眼部Ｅｐの像がＣＣＤ４０に結像され、前眼部Ｅｐの像によりアライメントが行われるようになっている。
【００２３】
また、眼底カメラには、眼底にピントを合わせるのを容易にするためにフォーカス指標投影光学系が設けられる。この投影光学系において、赤外ＬＥＤからなるフォーカス指標用光源５０からの指標光は、レンズ５１、ミラー５２、レンズ５３を通過し、移動絞りユニット３２に固定された反射プリズム３２ｄと３２ｅにより光路が２分されて、眼底Ｅｒに投影される。検者は、反射プリズム３２ｄ、３２ｅで反射したフォーカス指標の像が一致するかどうかで眼底にピントに合っているかどうかを判定することができる。
【００２４】
なお、合焦レンズ３５の被検眼側には、蛍光撮影時にバリアフィルタ３４が挿入される。
【００２５】
また、被検眼を眼底カメラに対して固視させるために、複数の固視灯５５ａ〜５５ｄからなる内部固視灯５５が設けられる。撮影する被検眼が左眼か右眼かにより、また眼底の撮影位置（乳頭付近か、離れた位置かなど）により固視灯５５ａ〜５５ｄのうちいずれか１つが点灯される。
【００２６】
点灯された固視灯からの光は、レンズ５６を通過してハーフミラー３７により反射されて撮影レンズ３６、合焦レンズ３５、撮影絞り３１ａ（３１ｂ、３１ｃ）、穴あきミラー２３、対物レンズ２４を通過して眼底Ｅｒに投影されるので、患者はこの内部固視灯を固視することにより、眼底カメラに対して被検眼を所定の位置に保持させることができる。なお、図面では、固視灯５５ａ〜５５ｄは、紙面に並置されて図示されているが、実際には、紙面に垂直に並置される。
【００２７】
ＣＣＤ４０は、可視光カット赤外光透過フィルタ１３を通過した赤外光で照明された眼底、あるいは光源２７からの赤外光で照明された前眼部を撮像し、その像は、ＣＰＵなどで構成される画像処理部６０に入力され、その画像がモニタ６２に動画像として表示される。検者は、モニタ６２に表示される画像を見て、アライメントやフォーカス調整を行うことができる。また、立体視専用ディスプレイとしてステレオモニタ６３が設けられ、検者は、このステレオモニタ６３を介して左右の画像を観察することにより眼底を立体視することができる。
【００２８】
また、ＣＣＤ４１は、シャッタスイッチ６６を操作したときストロボ１５で照明された眼底を静止画として撮影する。この眼底像は、一旦高速なメモリ６１に格納され、画像処理部６０を介して外部記録装置としての低速なハードディスク（ＨＤＤ）６４に記録（ファイリング）されたり、あるいはモニタ６２、ステレオモニタ６３に表示される。
【００２９】
また、キーボード６７、マウス６８などの入力手段が設けられ、これらの入力手段を介して、種々のデータを入力したり、メモリ６１、ハードディスク６４などの記録装置に記録された眼底画像の処理を指示することができる。
【００３０】
また、眼底カメラには、ＣＰＵなどからなる制御部６５が設けられ、この制御部６５は、画像処理部６０と接続されて互いに信号を交換するとともに、シャッタスイッチ６６が操作されたときに、リターンミラー３９を光路から離脱させるとともに、ストロボ１５を適量な光量で発光させる。また、制御部６５は、可視光カット赤外光透過フィルタ１３、エキサイタフィルタ１８、バリアフィルタ３４、前眼部レンズ３０、変倍レンズ３８ａ、３８ｂの光路への挿脱を制御し、移動絞りユニット３２の移動、移動遮光板１９の移動を制御する。
【００３１】
また、眼底カメラには、操作部（操作パネル）６９が設けられ、この操作部６９には、単眼撮影、ステレオ撮影、３枚連続撮影の撮影モードを選択する撮影モード選択スイッチ、前眼部レンズ挿脱スイッチ、撮影位置選択スイッチなどが配置され、操作部６９で選択された各スイッチ情報が制御部６５に入力される。
【００３２】
更に、撮影する被検眼が左眼か右眼かを検知する左右眼検知部７０が設けられ、検知された左眼か右眼かの情報が制御部６５に入力される。
【００３３】
次に、このような構成における眼底カメラにおいて、眼底の立体視用のステレオ画像を撮影、記録する流れ、並びに表示する流れを、図４に基づいて説明する。
【００３４】
まず、検者は、撮影すべき右眼あるいは左眼の眼底位置（部位）を選択し、固視灯５５ａ〜５５ｄのいずれか１つを選択して点灯させて、被検者を固視させる（ステップＳ１）。
【００３５】
次に、光源２７が点灯され、光源２７で照明された前眼部の像がモニタ６２に表示され、前眼部アライメントが行われる（ステップＳ２）。その後、前眼部レンズ３０が光路から離脱されて、眼底画像が、モニタ６２に表示されるので、検者は眼底画像を観察してアライメントを行う（ステップＳ３）。このとき、フォーカス指標光源５０が点灯され、検者は、フォーカス調整を行い、眼底にピントを合わせる（ステップＳ４）。
【００３６】
眼底アライメントならびにフォーカス調整が完了すると、シャッタスイッチ６６が操作される（ステップＳ５）。このとき、立体視用の左の画像を得るために、移動絞りユニット３２を図３（Ｂ）の位置への移動により撮影絞り３１ｂが選択されているものとする。最初に立体視用の右の画像を得る場合は、撮影絞り３１ｃを選択しておく。
【００３７】
シャッタ操作に同期してリターンミラー３９が光路から離脱され、ストロボ（フラッシュ）１５が発光し、ストロボ１５の発光により照明された眼底像は、選択された絞り３１ｂを介して合焦レンズ３５、結像レンズ３６、変倍レンズ３８ａを通過してＣＣＤ４１に結像され、眼底画像が第１画像として取得される（ステップＳ６）。
【００３８】
なお、この眼底画像は一旦メモリ６１に記録され、このとき、眼底画像を被検眼ＩＤ、撮影日時、撮影光量（ストロボ発光量）、左右眼の区別、撮影絞りの位置などの撮影条件と関連付けして記録するようにする（ステップＳ７）。
【００３９】
続いて、第１回目の撮影で選択されなかった方の撮影絞り３１ｃが選択され、ストロボが発光し、立体視用の右の眼底画像が第２画像として取得される（ステップＳ８）。この２枚目の眼底画像は、１枚目の眼底画像と同様に、その画像を取得したときの撮影条件を付し、第１画像と関連させてメモリ６１に記録する（ステップＳ９）。
【００４０】
このように、ステレオ撮影の場合には、１回のシャッタ操作で、撮影絞り３１ｂと３１ｃ（２孔絞り）を切り替えてそれぞれ立体視用の左右２枚の眼底画像が連続して撮影され、各画像がその画像を取得したときの撮影絞り位置（左位置、右位置など）の情報とともに記録される。
【００４１】
なお、図１の眼底カメラは、このようなステレオ撮影以外に、単眼撮影、３枚連続撮影を行うが、本発明は、ステレオ画像の取得であるので、その説明は省略する。また、本発明では、カラー撮影だけでなく、蛍光撮影も行えるようになっており、蛍光撮影の場合には、エキサイタフィルタ１８とバリアフィルタ３４を光路に挿入して撮影を行う。また、メモリ６１に記録された画像を、所定のタイミングで外部記録装置６４に転送するようにする。
【００４２】
メモリ６１あるいは外部記録装置６４に記録されたステレオ撮影された画像を呼び出して表示する場合は、ステレオモニタ６３を使用して、左右２枚の画像のうち左位置の情報が付された画像を左側に表示し、右位置情報が付された画像をその右側に並べ、他の撮影条件情報も付して表示する（ステップＳ１０）。
【００４３】
このステレオモニタ６３が、図５に示されている。ステレオモニタ６３の基板８１には、撮影絞りを切り替えて撮影された左右の２枚の視差画像８２、８３を左右に並べて表示するディスプレイ８０が取り付けられており、また、予め立体視に適した距離ディスプレイ８０から離して配置されたレンズ又はプリズム８４、８５からなるステレオスコープ８６が基板８１に取り付けられている。立体視するときは、検者は、左眼で、レンズ８４を介して左画像８２を、また右眼で、レンズ８５を介して右画像を観察する。
【００４４】
このとき、検者は、立体観察に変倍が必要でないと判断するときは（ステップＳ１１の否定）、拡大あるいは縮小せずにそのまま表示する（ステップＳ１２）。
【００４５】
一方、所定部位を拡大して立体観察しようとするときは、左視差画像８２と右視差画像８３の両方、あるいはそのいずれか一方を記録装置から読み出して表示させ、拡大すべき画像範囲を手動であるいは自動で設定する。
【００４６】
手動で設定する場合は（ステップＳ１３の否定）、図６に示したように、左視差画像８２の拡大しようとする画像範囲の中心とすべき点８２ａをマウスなどで指定する。２枚並列表示している時は、どちらかの画像上で指定する。そして、指定された点８２ａを中心に所定の切り出し範囲（例えば画角１０°相当分）を設定し、設定された範囲内にある画像データ８２ｂを切り出す（ステップＳ１４）。
【００４７】
また、２つの画像が関連付けされて記録されているので（ステップＳ９）、一方の画像を指定すれば、その関連付けから他方の画像を指定することができ、また一方の画像の切り出し範囲を指定すると、その切り出し範囲のメモリ領域に対応する他方の画像のメモリ領域の範囲も求められるので、中心点を指定する時に使用していなかった（表示していなかった）画像、つまり図６の例では右視差画像８３の方からも同じ範囲（同じメモリ領域の範囲）、同じ画素数で、画像データ８３ｂを切り出すことができる。
【００４８】
これらの切り出し処理は、画像処理部６０で行われ、画像処理部６０は切り出し手段を構成している。
【００４９】
このように、記録された画像からそれぞれ切り出された画像８２ｂと８３ｂをそれぞれ同じ倍率で拡大して拡大画像８２ｃ、８３ｃを生成して、これをステレオモニタ６３に左右に少し間隔をあけて並べて表示する（ステップＳ１６）。その際、２枚の画像８２ｃと８３ｃの間の境界である縦長部分は黒の縁取り８８を入れると立体視しやすくなる。また、２枚の画像のどちらか一方の画像の隅に長さを知るためのスケール８９を画像合成で入れる。そして、このようにして作成された立体視用画像を１枚の画像データとして記録装置６４に記録、保存する。
【００５０】
なお、切り出し範囲の指定は、所定の点８２ａを指定するのではなく、図形操作で切り出し範囲を直接指定するようにしてもよく、また、ステレオモニタ６３ではなく、通常のモニタ６２で画像切り出しを行うようにしてもよい。
【００５１】
以上は、手動で画像を切り出すようにしたが、切り出し範囲を、たとえば、キーボード６７に設けたファンクションキーを使用して、あるいはモニタ６２、６３にファンクションボタンを表示して操作することにより定めるようにしてもよい。
【００５２】
この例が、図７に示されている。まず、左視差画像８２あるいは８３を読み出し、その画像を走査線９０で走査し、眼底画像内の各点（画素）の輝度に着目し、所定のしきい値を越えた輝度を持つ明るい部分（網点の画素９１ａ）を抽出手段として機能する画像処理部６０で抽出し（ステップＳ１７）、その領域を眼底の乳頭部９１と判断し、その領域の重心９１ｂを求める。その場合、一方の重心からだけでなく、他方の画像に対しても同様な処理で重心を求め、その重心の平均値を用いるようにしてもよい。
【００５３】
このようにして重心を求めたら、その重心座標から画像を切り出す中心位置を決め、右視差画像あるいは左視差画像の一方の画像から、その中心位置に基づいて所定の範囲（例えば画角１０°相当分）の画像データ８２ｂを切り出す（ステップＳ１４）。その後は、図６の例と同様に、他方の画像から、切り出された画像の範囲に対応する範囲内の画像を切り出し、切り出された２つの画像を所定の倍率に変換（拡大）して、左右に並べて１枚画像として表示する（ステップＳ１５、Ｓ１６）。
【００５４】
このように、図６あるいは図７のいずれの例においても、２枚１組のステレオ画像のどちらか一方の画像において拡大して切り取る画像の点が指定され、その点から高倍変換する範囲が決定される。そして、該点を指定するのに使用した画像、及びもう片方の画像両方を同じ範囲で同じ変換倍率で高倍変換処理して、並べて表示され、新たな１枚の画像として記録、保存される。
【図面の簡単な説明】
【００５５】
【図１】本発明に使用される眼科撮影装置の光学系を示した構成図である。
【図２】（Ａ）は移動絞りユニットの構成を示す平面図、（Ｂ）は固定絞りの構成を示す平面図、（Ｃ）は穴あき全反射ミラーの構成を示す平面図である。
【図３】移動絞りユニットの移動により撮影絞りが選択される状態を説明した説明図である。
【図４】眼底の撮影並びに表示の流れを示したフローチャートである。
【図５】ステレオモニタの構成を示した概略斜視図である。
【図６】手動で切り出し範囲を定め、拡大画像を表示する流れを示した説明図である。
【図７】画像の切り出し範囲を画像走査により決定する状態を示した説明図である。
【符号の説明】
【００５６】
１５  ストロボ
２１  リングスリット
２３  穴あき全反射ミラー
３１  固定絞り
３２  移動絞りユニット
５０  フォーカス指標光源
６３  ステレオモニタ
８２  左視差画像
８３  右視差画像
【図１】
2007151983.tif 000003
【図２】
2007151983.tif 000004
【図３】
2007151983.tif 000005
【図４】
2007151983.tif 000006
【図５】
2007151983.tif 000007
【図６】
2007151983.tif 000008
【図７】
2007151983.tif 000009